(57)【特許請求の範囲】
【請求項１】
株価情報を受信する受信部と、株価情報を表示する表示部と、操作者からの入力を受け付ける操作部と、株価情報を記憶する記憶部と、制御部とを備えた株価情報表示装置であって、
前記記憶部は、
前記受信部で受信した株価情報を記憶する受信株価情報テーブルと、
前記表示部に表示する銘柄を記憶する表示銘柄情報テーブルであって、該表示銘柄情報テーブルにおける銘柄位置が、前記操作部から設定可能な表示銘柄情報テーブルと、
前記表示銘柄情報テーブルに登録する銘柄を抽出するための銘柄抽出条件と、前記表示銘柄情報テーブルにおける銘柄位置を示す銘柄登録位置とを記憶する銘柄抽出条件テーブルであって、前記銘柄抽出条件と前記銘柄登録位置が、前記操作部から設定可能な銘柄抽出条件テーブルとを備え、
前記制御部は、
前記受信部で受信した株価情報を前記受信株価情報テーブルに記憶させる受信情報記憶処理部と、
前記操作部から入力される前記銘柄抽出条件と前記銘柄登録位置とに基づき前記銘柄抽出条件テーブルを設定する銘柄抽出条件設定部と、
前記受信部で受信した株価情報が前記銘柄抽出条件テーブルに記憶された銘柄抽出条件を満足するか否か判定し、前記銘柄抽出条件を満足した銘柄を、前記銘柄登録位置に従って、前記表示銘柄情報テーブルに登録処理する登録処理部と、
前記表示銘柄情報テーブルに記憶された銘柄に関する株価情報を前記表示部に表示させる表示処理部であって、前記表示銘柄情報テーブルにおける銘柄位置と、前記表示部における銘柄表示位置とを対応させるように、前記表示部に銘柄表示させる表示処理部と、を備えることを特徴とする株価情報表示装置。
【請求項２】
請求項１に記載した株価情報表示装置であって、
前記銘柄抽出条件テーブルは、前記銘柄抽出条件として条件項目と条件値を含み、
前記登録処理部は、前記条件値がＯＮに設定された場合は、前記条件項目が満足されると、該条件項目を満足した銘柄を前記表示銘柄情報テーブルに登録処理し、前記条件値がＯＦＦに設定された場合は、前記条件項目が満足されても、該条件項目を満足した銘柄を前記表示銘柄情報テーブルに登録処理しないことを特徴とする株価情報表示装置。
【請求項３】
請求項１に記載した株価情報表示装置であって、
前記登録処理部は、前記銘柄抽出条件を満足した銘柄と、該銘柄が満足した銘柄抽出条件とを関連付けて前記表示銘柄情報テーブルに記憶し、
前記表示処理部は、前記銘柄抽出条件を満足した銘柄を前記表示部に表示させる際に、前記満足した銘柄抽出条件を表示させることを特徴とする株価情報表示装置。
【発明の詳細な説明】
【技術分野】
【０００１】
本発明は、株価情報表示端末など、証券会社等に設置され株価を表示する株価情報表示装置に関し、特に、ユーザが希望する所望の条件に合致する銘柄を自動登録して、該自動登録した銘柄に関する株価情報を表示することのできる株価情報表示装置に関する。
【背景技術】
【０００２】
株価情報表示装置には、例えば、複数の銘柄に関する株価情報を一覧表示する機能を有するものがある。このような従来の株価情報表示装置においては、所望の複数の銘柄に関する株価情報を表示させるため、該所望の複数の銘柄をユーザが予め登録しておき、東京や大阪などの各証券取引所から、銘柄ごとの各種約定値段（現在値、始値等）を含む株価情報を受信すると、該受信した株価情報の中から、登録された銘柄に関する株価情報を抽出して表示させるようにしている。このときユーザは、例えば４桁の銘柄コードを入力することにより、１銘柄ずつ登録を行う。
【０００３】
このような従来の銘柄登録のやり方では、ユーザの登録したい銘柄名が特定されている場合は問題ないが、例えば、当日の取引において価格や売買高が大きく変動した銘柄を登録したい場合、その条件に該当する銘柄の銘柄コードを、ユーザが調べて登録することが必要であり、手間がかかり煩雑なうえに、登録するまでに時間がかかり、さらに、登録すべき銘柄をミスにより見逃して登録し損なう可能性もある。
【０００４】
下記の特許文献１には、情報表示装置で所望の銘柄を検索する場合、銘柄コードを調べる作業が煩雑で不便である等の問題点に鑑み、銘柄に関連する名称、製品等のキーワードを記憶する関連情報テーブルを設け、ユーザが銘柄の検索条件として名称、製品等のキーワードを入力すると、関連情報テーブルを検索して、検索条件を満たす関連情報に対応する銘柄名を一覧表示し、その中からユーザによって選択された銘柄について株価情報を読み出して表示する技術が開示されている。しかし、特許文献１の技術によっても、ユーザの登録したい対象銘柄が特定されていない場合は、ユーザが目的の銘柄を調べて特定することが必要である。
【先行技術文献】
【特許文献】
【０００５】
【特許文献１】特開２００３-３０２１３公報
【発明の概要】
【発明が解決しようとする課題】
【０００６】
本発明は、上述したような従来の課題を解決するために為されたもので、希望する条件の銘柄をユーザが個別に調べて登録しなくても、自動的に希望する条件の銘柄を抽出して登録し、該登録した銘柄の株価情報を表示することのできる株価情報表示装置を提供することを目的とする
【課題を解決するための手段】
【０００７】
本発明においては、ユーザが表示銘柄を抽出するための銘柄抽出条件を予め設定しておき、該銘柄抽出条件を満たす株価情報を受信すると、該銘柄抽出条件を満たす株価情報の銘柄を、株価情報を表示させる銘柄として自動的に登録するものである。
本発明の代表的な構成は、次のとおりである。すなわち、
株価情報を受信する受信部と、株価情報を表示する表示部と、操作者からの入力を受け付ける操作部と、株価情報を記憶する記憶部と、制御部とを備えた株価情報表示装置であって、
前記記憶部は、前記受信部で受信した株価情報を記憶する受信株価情報テーブルと、前記表示部に表示する銘柄を記憶する表示銘柄情報テーブルと、前記表示銘柄情報テーブルに登録する銘柄を抽出するための銘柄抽出条件を記憶する銘柄抽出条件テーブルとを備え、
前記制御部は、前記受信部で受信した株価情報を前記受信株価情報テーブルに記憶させる受信情報記憶処理部と、前記操作部から入力される銘柄抽出条件に基づき前記銘柄抽出条件テーブルを設定する銘柄抽出条件設定部と、前記受信部で受信した株価情報が前記銘柄抽出条件テーブルに記憶された銘柄抽出条件を満足するか否か判定し、前記銘柄抽出条件を満足した銘柄を前記表示銘柄情報テーブルに登録処理する登録処理部と、前記表示銘柄情報テーブルに記憶された銘柄に関する株価情報を前記表示部に表示させる表示処理部と、を備えることを特徴とする株価情報表示装置。
【発明の効果】
【０００８】
このような構成によれば、ユーザが表示銘柄を抽出するための銘柄抽出条件を予め設定しておくことにより、該銘柄抽出条件を満たす株価情報の銘柄を、株価情報を表示させる銘柄として自動的に登録することができる。したがって、銘柄名が特定されていない銘柄、例えば、当日の取引において価格や売買高が大きく変動した銘柄を、表示銘柄として登録することが容易となり、登録すべき銘柄を見逃して登録し損なうことを防止できる。
【図面の簡単な説明】
【０００９】
【図１】本発明の実施形態における株価情報表示装置の構成を示す図である。
【図２】本発明の実施形態における受信株価情報テーブルの構成を示す図である。
【図３】本発明の実施形態における表示銘柄情報テーブルの構成を示す図である。
【図４】本発明の実施形態における銘柄抽出条件テーブルの構成を示す図である。
【図５】本発明の実施形態におけるニュース登場銘柄情報テーブルの構成を示す図である。
【図６】本発明の実施形態における株価情報表示装置の動作を示すフローチャートである。
【図７】本発明の実施形態における表示例である。
【発明を実施するための形態】
【００１０】
本発明の実施形態の一例である株価情報表示装置について、図１を参照しながら説明する。図１は、本発明の実施形態に係る株価情報表示装置の構成例を示す図である。図１において、株価情報表示装置は、受信部１と、操作部２と、表示部３と、記憶部２０と、制御部１０とを備える。
受信部１は、例えば、専用通信回線を介して各証券取引所から送出された各種株価情報や、インターネットを介し外部の情報サービス源から送出された各種情報を受信して、本株価情報表示装置に取り込むものである。操作部２は、キーボード、又はタッチパネル、又はマウスなどから構成され、操作者からの各種入力を受け付けるものである。表示部３は、液晶画面等から構成され、制御部１０からの指示に基づき、操作部２から入力される文字等を表示し、また、株価情報等を表示するものである。
【００１１】
記憶部２０は、受信株価情報テーブル２１と、表示銘柄情報テーブル２２と、銘柄抽出条件テーブル２３と、ニュース登場銘柄情報テーブル２４と、年初来高値／安値テーブル２５とを備える。
受信株価情報テーブル２１は、受信部１で受信した株価情報を受信時刻とともに、例えば時系列に記憶する。受信株価情報テーブル２１の例を図２に示す。図２において、横方向には、受信時刻、証券種別、市場区分、取引所区分、銘柄名、銘柄コード、現在値、始値、高値、安値、終値、出来高、ストップ高フラグ、ストップ安フラグが記憶されている。これらは、ある受信時刻で受信した株価情報を示す。
【００１２】
例えば、図２の最上行は、１０時５０分に受信した株価情報の内容が、証券種別が株式、市場区分が市場第一部、取引所区分が東証、銘柄名がＡ電機、銘柄コードがａａａａ、現在値が６００、始値が５８０、高値が６０５、安値が５７５、前日終値が５９０、出来高が１０万株、ストップ高フラグが０、つまりストップ高でないこと、ストップ安フラグが０、つまりストップ安でないことを示す。
ここで、現在値とは現在時刻から最も近い約定値段、始値とは場が開いたのち最初に成立した約定値段、高値とは寄付き（場の開始）から現在時刻までで最も高い約定値段、安値とは寄付きから現在時刻までで最も安い約定値段、前日終値とは前営業日の最後に成立した約定値段、出来高とは現在値の約定が成立した株数、ストップ高とは１日における変動の限度幅まで株価が上がること、ストップ安とは１日における変動の限度幅まで株価が下がることである。
【００１３】
表示銘柄情報テーブル２２は、表示部３に表示する銘柄の銘柄識別子（例えば、銘柄コード）を、表示部３における表示位置に対応するように記憶する。つまり、表示銘柄情報テーブル２２における銘柄登録位置が、表示部３における表示位置に対応する位置関係となるように記憶する。
また、表示銘柄情報テーブル２２には、前記操作部２からの入力により、任意の銘柄の登録が可能となっている。
表示銘柄情報テーブル２２の例を図３に示す。図３は、表示部３の表示画面が複数のページを有し、各ページに複数の銘柄に関する株価情報を表示できる株価情報表示装置における表示銘柄情報テーブル２２の例である。図３において、ページ１のＮｏ．１（１行目）には、取引所コードＴ１、銘柄コードａａａａが登録され、ページ１のＮｏ．２（２行目）には、取引所コードＴ１、銘柄コードｂｂｂｂが登録され、ページｎのＮｏ．１（１行目）には、取引所コードＴ２、銘柄コードｃｃｃｃが登録され、ページｎのＮｏ．２（２行目）には、取引所コードＴ２、銘柄コードｄｄｄｄが登録されている。
このように、図３の例では、表示画面の複数のページに対応するよう、表示銘柄情報テーブル２２も、複数のページを有し、各ページに複数の銘柄を登録できるようになっている。なお、表示部３に複数のページを表示する方法としては、同時に複数のページを表示してもよいし、１ページずつページ切り替え又はスクロールさせて、一度に１ページのみを表示するようにしてもよい。
【００１４】
図３において、例えば、ページ１のＮｏ.１の位置には、取引所コードがＴ１で、銘柄コードがａａａａである銘柄が登録され、Ｎｏ.２の位置には、取引所コードがＴ１で、銘柄コードがｂｂｂｂである銘柄が登録されている。このとき、表示部３には、図７に示すように、表示部３のページ１のＮｏ.１の位置（１行目）には、表示銘柄情報テーブル２２のページ１のＮｏ.１の位置（１行目）に対応する銘柄コードａａａａの銘柄であるＡ電機の株価情報が表示され、表示部３のページ１のＮｏ.２の位置（２行目）には、表示銘柄情報テーブル２２のページ１のＮｏ.２の位置（２行目）に対応する銘柄コードｂｂｂｂの銘柄であるＢ電機の株価情報が表示される。図７は、本実施形態における表示部３の画面表示例である。
【００１５】
銘柄抽出条件テーブル２３は、表示銘柄情報テーブル２２に登録する銘柄を抽出するための銘柄抽出条件を記憶する。また、銘柄抽出条件テーブル２３は、表示銘柄情報テーブル２２における銘柄登録位置を記憶するようにしてもよい。銘柄抽出条件は、ユーザである操作者により、操作部２から入力される。また、表示銘柄情報テーブル２２における銘柄登録位置、すなわち、抽出した銘柄を表示銘柄情報テーブル２２のどの位置に登録するかについて、予め操作部２から入力しておくことができ、例えば、表示銘柄情報テーブル２２のページ番号や行番号を指定することができる。
【００１６】
銘柄抽出条件テーブル２３の例を図４に示す。図４において、縦方向に複数の銘柄抽出条件項目を列挙し、横方向に、それぞれの銘柄抽出条件項目における抽出条件である条件値と、表示銘柄情報テーブル２２における銘柄登録位置とを示す。本例では、各銘柄抽出条件毎に銘柄登録位置が設定されているが、複数の銘柄抽出条件に対して１つの銘柄登録位置が設定されるようにすることも可能である。
条件値が「ＯＮ」の場合は、銘柄抽出条件が満足されると、その銘柄が表示銘柄情報テーブル２２に登録され、条件値が「ＯＦＦ」の場合は、銘柄抽出条件が満足されても、その銘柄が表示銘柄情報テーブル２２に登録されないことを示す。
【００１７】
銘柄登録位置は、表示銘柄情報テーブル２２における最初の登録位置を示す。例えば、銘柄抽出条件テーブル２３のＮｏ．１の新規上場銘柄における最初の登録位置は、３ページ１行に設定されている。この場合、その日の１番目に受信した新規上場銘柄は、表示銘柄情報テーブル２２の３ページ１行に登録される。２番目に受信した新規上場銘柄は、表示銘柄情報テーブル２２の３ページ１行が既に登録済みであるので、その次の登録位置である表示銘柄情報テーブル２２の３ページ２行に登録される。
【００１８】
また、銘柄抽出条件テーブル２３のＮｏ．２のストップ高／安からＮｏ．７の売買高急増における最初の登録位置は、２ページ５行に設定されている。この場合、例えば、ストップ高／安銘柄を、他の銘柄抽出条件であるＮｏ．３〜Ｎｏ．７に合致する銘柄よりも早く受信すると、このストップ高／安銘柄は、表示銘柄情報テーブル２２の２ページ５行に登録される。その次に、銘柄抽出条件テーブル２３のＮｏ．３の年初来高安値更新銘柄を受信すると、表示銘柄情報テーブル２２の最初の登録位置は２ページ５行であるが、１番目に受信したストップ高／安銘柄を既に登録済みであるので、その次の登録位置である表示銘柄情報テーブル２２の２ページ６行に登録される。
【００１９】
Ｎｏ.１の銘柄抽出条件は、新規上場銘柄である。この条件値が「ＯＮ」である場合、銘柄情報受信時において、受信した銘柄情報に含まれる新規上場フラグがＯＮのときに、その銘柄を表示銘柄情報テーブル２２の３ページ１行に登録することを意味する。ここで銘柄情報とは、各証券取引所の上場銘柄に関する銘柄コードと銘柄名の対応を示す情報で、新規上場銘柄については、新規上場フラグがＯＮに設定されている。銘柄情報は、場の開始時等において、各証券取引所から送信されてくる。本明細書においては、銘柄情報も株価情報の１種として扱う。
また、Ｎｏ.１の銘柄抽出条件の条件値が「ＯＦＦ」である場合は、銘柄情報に含まれる新規上場フラグがＯＮであってもＯＦＦであっても、その銘柄を表示銘柄情報テーブル２２に登録しないことを意味する。
【００２０】
Ｎｏ.２の銘柄抽出条件は、ストップ高／安である。この条件値が「ＯＮ」である場合、株価情報受信時において、受信した株価情報に含まれるストップ高値フラグ又はストップ安値フラグがＯＮのときに、その銘柄を表示銘柄情報テーブル２２の２ページ５行に登録することを意味する。
また、Ｎｏ.２の銘柄抽出条件の条件値が「ＯＦＦ」である場合は、株価情報に含まれるストップ高値フラグ又はストップ安値フラグがＯＮであってもＯＦＦであっても、その銘柄を表示銘柄情報テーブル２２に登録しないことを意味する。
【００２１】
Ｎｏ.３の銘柄抽出条件は、年初来高安値更新である。この条件値が「ＯＮ」である場合、株価情報受信時において、受信した株価情報に含まれる現在値が、記憶部２０に記憶している年初来高値より高いか、又は、年初来安値よりも安いときに、その銘柄を表示銘柄情報テーブル２２の２ページ５行に登録することを意味する。
また、Ｎｏ.３の銘柄抽出条件の条件値が「ＯＦＦ」である場合は、株価情報に含まれる現在値が、記憶部２０に記憶している年初来高値より高いか、又は、年初来安値よりも安いときであっても、その銘柄を表示銘柄情報テーブル２２に登録しないことを意味する。
【００２２】
Ｎｏ.４の銘柄抽出条件は、高値安値乖離大である。株価情報受信時において、受信した株価情報に含まれる高値と安値の差の、始値に対する比率が、銘柄抽出条件テーブル２３に設定された比率（図４の例では、１．５）より大きいときに、その銘柄を表示銘柄情報テーブル２２の２ページ５行に登録することを意味する。
また、受信した株価情報に含まれる高値と安値の差の、始値に対する比率が、銘柄抽出条件テーブル２３に設定された比率以下のときには、その銘柄を表示銘柄情報テーブル２２に登録しないことを意味する。
【００２３】
Ｎｏ.５の銘柄抽出条件は、値上がり／値下がり率大である。株価情報受信時において、受信した株価情報に含まれる現在値の、後述する第１の基準値に対する値上がり率又は値下がり率が、銘柄抽出条件テーブル２３に設定された比率（図４の例では、１．２）より大きいときに、その銘柄を表示銘柄情報テーブル２２の２ページ５行に登録することを意味する。ここで第１の基準値とは、操作部２から指定された値段であり、前日終値、又は始値、あるいはｎ分前の現在値として指定される。これらの、前日終値、又は始値、あるいはｎ分前の現在値は、受信株価情報テーブル２１に記憶されている。
また、受信した株価情報に含まれる現在値の、第１の基準値に対する値上がり率又は値下がり率が、銘柄抽出条件テーブル２３に設定された比率以下のときには、その銘柄を表示銘柄情報テーブル２２に登録しないことを意味する。
【００２４】
Ｎｏ.６の銘柄抽出条件は、値上がり／値下がり幅大である。株価情報受信時において、受信した株価情報に含まれる現在値の、第１の基準値に対する値上がり幅又は値下がり幅が、銘柄抽出条件テーブル２３に設定された幅（図４の例では、１００）より大きいときに、その銘柄を表示銘柄情報テーブル２２の２ページ５行に登録することを意味する。ここで第１の基準値とは、上述したように、操作部２から指定された値段であり、前日終値、又は始値、あるいはｎ分前の現在値として指定される。
また、受信した株価情報に含まれる現在値の、第１の基準値に対する値上がり幅又は値下がり幅が、銘柄抽出条件テーブル２３に設定された幅以下のときには、その銘柄を表示銘柄情報テーブル２２に登録しないことを意味する。
【００２５】
Ｎｏ.７の銘柄抽出条件は、売買高急増である。株価情報受信時において、受信した株価情報に含まれる売買高と第２の基準値との差の、第２の基準値に対する比率が、銘柄抽出条件テーブル２３に設定され比率（図４の例では、２．０）より大きいときに、その銘柄を表示銘柄情報テーブル２２の２ページ５行に登録することを意味する。ここで第２の基準値とは、操作部２から指定された値段であり、前日終値時の売買高、あるいはｎ分前の売買高として指定される。売買高とは、約定値段と出来高の積である。
また、受信した株価情報に含まれる売買高と第２の基準値との差の、第２の基準値に対する比率が、銘柄抽出条件テーブル２３に設定された比率以下のときには、その銘柄を表示銘柄情報テーブル２２に登録しないことを意味する。
【００２６】
Ｎｏ.８の銘柄抽出条件は、ニュース登場回数である。外部から配信され受信部１で受信するニュース情報には、通常、該ニュースの関連銘柄の銘柄コードが埋め込まれて配信される。ニュース情報受信時において、受信したニュース情報に含まれる銘柄の当日の登場回数が、銘柄抽出条件テーブル２３に設定された登場回数（図４の例では、１５）より大きいときに、その銘柄を表示銘柄情報テーブル２２の３ページ１０行に登録することを意味する。ニュース登場回数は、後述するニュース登場銘柄情報テーブル２４に記憶される。
また、受信したニュース情報に含まれる銘柄の当日の登場回数が、銘柄抽出条件テーブル２３に設定された登場回数以下のときには、その銘柄を表示銘柄情報テーブル２２に登録しないことを意味する。
【００２７】
ニュース登場銘柄情報テーブル２４は、例えばある日において、受信部１で受信したニュース情報に登場した銘柄の登場回数を、該銘柄の銘柄識別子と対応付けて記憶する。ニュース登場銘柄情報テーブル２４の例を図５に示す。図５において、例えば、最上行の銘柄コードがａａａａのＡ電機は、ある日におけるニュース情報に登場した登場回数が２０回であることを示す。
【００２８】
年初来高値／安値テーブル２５は、その年の約定値段の最高値である年初来高値と、その年の約定値段の最安値である年初来安値とを記憶する。
【００２９】
制御部１０は、受信情報記憶処理部１１と、銘柄抽出条件設定部１２と、登録処理部１３と、表示処理部１４とを備える。制御部１０は、ハードウエア構成としては、ＣＰＵ（Central  Processing  Unit）と制御部１０の動作プログラム等を格納するメモリを備えており、ＣＰＵは、この動作プログラムに従って動作する。
【００３０】
受信情報記憶処理部１１は、受信部１で受信した株価情報を、例えば図２に示すように、受信時刻順に受信株価情報テーブル２１に記憶させる記憶処理を行う。
銘柄抽出条件設定部１２は、操作部２から入力される銘柄抽出条件に基づき、例えば図４に示すように、銘柄抽出条件テーブル２３の条件値や銘柄登録位置を設定する。
【００３１】
登録処理部１３は、受信部１で受信した株価情報（受信部１で受信し受信株価情報テーブル２１に記憶された株価情報を含む）が、銘柄抽出条件テーブル２３に記憶された銘柄抽出条件を満足するか否か判定し、銘柄抽出条件を満足する銘柄を、例えば図３に示すように、表示銘柄情報テーブル２２に登録処理する。
なお、登録処理部１３は、銘柄抽出条件を満足した銘柄が、既に表示銘柄情報テーブル２２に登録されている銘柄である場合は、表示銘柄情報テーブル２２への２重の登録処理を行わないようにすることもできる。
【００３２】
また、登録処理部１３は、銘柄抽出条件テーブル２３に設定された銘柄登録位置に従って、各銘柄抽出条件を満足した銘柄を、表示銘柄情報テーブル２２に登録処理する。
また、登録処理部１３は、銘柄抽出条件を満足した銘柄と、該銘柄が満足した銘柄抽出条件とを関連付けて、例えば表示銘柄情報テーブル２２に記憶する。例えば、図３に示すように、Ａ電機（銘柄コードａａａａ）が、銘柄抽出条件テーブル２３のＮｏ．２の抽出条件であるストップ高となった場合、ストップ高である旨の銘柄抽出条件を、表示銘柄情報テーブル２２のページ１のＮｏ．１の銘柄コードａａａａに関連付けて記憶する。
【００３３】
表示処理部１４は、表示銘柄情報テーブル２２における銘柄登録位置と、表示部３における銘柄表示位置とを対応させるように、表示部３に銘柄表示を行う。また、表示処理部１４は、受信部１で受信した株価情報が表示銘柄情報テーブル２２に記憶された銘柄に関するものであるとき、その株価情報を、表示銘柄情報テーブル２２の銘柄登録位置と対応する位置関係となる表示部３の表示位置に表示させる。こうして、表示部３には、最新の株価情報が表示される。
例えば、図７の表示部３の画面表示において、ページ１画面の１行目と２行目には、表示銘柄情報テーブル２２のページ１のＮｏ．１のＡ電機（銘柄コードａａａａ）とＮｏ．２のＢ電機（銘柄コードｂｂｂｂ）が表示されている。
また、図７に示すように、表示処理部１４は、銘柄抽出条件を満足した銘柄を表示部３に表示させる際に、前記満足した銘柄抽出条件がどの抽出条件であるかを表示させる。図７では、銘柄抽出条件を「ストップ高」と文字で表示したが、銘柄抽出条件を認識できる表示方法であればよく、例えば、銘柄抽出条件毎に点滅間隔を変えた点滅表示や色を変えた色表示等でもよい。
【００３４】
次に、本実施形態における株価情報表示装置の動作を、図６を用いて説明する。図６は、本実施形態における株価情報表示装置の制御部１０の動作を示すフローチャートである。
図６において、制御部１０は、受信部１で受信した銘柄情報を受取ると、受信した銘柄情報に含まれる新規上場フラグがＯＮであるか否かを判定、すなわち、新規上場銘柄があるか否かを判定する（ステップＳ１）。新規上場銘柄がある場合は（ステップＳ１でＹｅｓ）、ユーザにより登録指定がなされている場合、つまり、銘柄抽出条件テーブル２３における新規上場銘柄の条件値が「ＯＮ」である場合に（ステップＳ１１でＹｅｓ）、その新規上場銘柄を表示銘柄情報テーブル２２に登録処理する（ステップＳ９）。その他の場合は（ステップＳ１でＮｏ、又はステップＳ１１でＮｏ）、新規上場銘柄があったとしても、その新規上場銘柄を表示銘柄情報テーブル２２に登録処理せず、ステップＳ２に移行する。
【００３５】
次に、制御部１０は、受信部１で受信した株価情報を受取ると、ステップＳ２において、受信した株価情報に含まれるストップ高値フラグ又はストップ安値フラグがＯＮであるか否かを判定、すなわち、ストップ高値／安値発生銘柄があるか否かを判定する。ストップ高値発生銘柄又はストップ安値発生銘柄がある場合は（ステップＳ２でＹｅｓ）、銘柄抽出条件テーブル２３におけるストップ高／安の条件値が「ＯＮ」である場合に（ステップＳ１２でＹｅｓ）、そのストップ高値発生銘柄又はストップ安値発生銘柄を表示銘柄情報テーブル２２に登録処理する（ステップＳ９）。その他の場合は（ステップＳ２でＮｏ、又はステップＳ１２でＮｏ）、ストップ高値／安値発生銘柄があったとしても、そのストップ高値／安値発生銘柄を表示銘柄情報テーブル２２に登録処理せず、ステップＳ３に移行する。
【００３６】
次に、制御部１０は、ステップＳ３において、受信した株価情報に含まれる現在値が、記憶部２０の年初来高値／安値テーブル２５に記憶している年初来高値より高いか、又は、年初来安値よりも安いかを判定、すなわち、年初来高安値更新銘柄があるか否かを判定する。年初来高安値更新銘柄がある場合は（ステップＳ３でＹｅｓ）、銘柄抽出条件テーブル２３における年初来高安値更新の条件値が「ＯＮ」である場合に（ステップＳ１３でＹｅｓ）、その年初来高安値更新銘柄を表示銘柄情報テーブル２２に登録処理する（ステップＳ９）。その他の場合は（ステップＳ３でＮｏ、又はステップＳ１３でＮｏ）、年初来高安値更新銘柄があったとしても、その年初来高安値更新銘柄を表示銘柄情報テーブル２２に登録処理せず、ステップＳ４に移行する。
【００３７】
次に、制御部１０は、ステップＳ４において、受信した株価情報に含まれる高値と安値の差の、始値に対する比率が、銘柄抽出条件テーブル２３に設定された比率より大きいかを判定、すなわち、高値安値乖離大であるか否かを判定する。高値安値乖離大である場合は（ステップＳ４でＹｅｓ）、その高値安値乖離大銘柄を表示銘柄情報テーブル２２に登録処理する（ステップＳ９）。高値安値乖離大でない場合は（ステップＳ４でＮｏ）、ステップＳ５に移行する。
【００３８】
次に、制御部１０は、ステップＳ５において、受信した株価情報に含まれる現在値の、第１の基準値に対する値上がり率又は値下がり率が、銘柄抽出条件テーブル２３に設定された比率より大きいかを判定、すなわち、値上がり／値下がり率大であるか否かを判定する。ここで第１の基準値とは、前述したように、前日終値、又は始値、あるいはｎ分前の現在値である。値上がり／値下がり率大である場合は（ステップＳ５でＹｅｓ）、その値上がり／値下がり率大銘柄を表示銘柄情報テーブル２２に登録処理する（ステップＳ９）。値上がり／値下がり率大でない場合は（ステップＳ５でＮｏ）、ステップＳ６に移行する。
【００３９】
次に、制御部１０は、ステップＳ６において、受信した株価情報に含まれる現在値の、第１の基準値に対する値上がり幅又は値下がり幅が、銘柄抽出条件テーブル２３に設定された幅より大きいかを判定、すなわち、値上がり／値下がり幅大であるか否かを判定する。ここで第１の基準値とは、前日終値、又は始値、あるいはｎ分前の現在値である。値上がり／値下がり幅大である場合は（ステップＳ６でＹｅｓ）、その値上がり／値下がり幅大銘柄を表示銘柄情報テーブル２２に登録処理する（ステップＳ９）。値上がり／値下がり幅大でない場合は（ステップＳ６でＮｏ）、ステップＳ７に移行する。
【００４０】
次に、制御部１０は、ステップＳ７において、受信した株価情報に含まれる売買高と第２の基準値との差の、第２の基準値に対する比率が、銘柄抽出条件テーブル２３に設定された比率より大きいかを判定、すなわち、売買高急増であるか否かを判定する。ここで第２の基準値とは、前述したように、前日終値時の売買高、あるいはｎ分前の売買高である。売買高急増である場合は（ステップＳ７でＹｅｓ）、その売買高急増銘柄を表示銘柄情報テーブル２２に登録処理する（ステップＳ９）。売買高急増でない場合は（ステップＳ７でＮｏ）、ステップＳ８に移行する。
【００４１】
次に、制御部１０は、ステップＳ８において、受信したニュース情報に含まれる銘柄の当日の登場回数が、銘柄抽出条件テーブル２３に設定された登場回数より大きいかを判定、すなわち、ニュース登場回数大であるか否かを判定する。ニュース登場回数大である場合は（ステップＳ８でＹｅｓ）、そのニュース登場回数大銘柄を表示銘柄情報テーブル２２に登録処理する（ステップＳ９）。ニュース登場回数大でない場合は（ステップＳ８でＮｏ）、処理を終了する。
【００４２】
なお、上述の図６の動作フローでは、銘柄抽出条件テーブル２３の複数の銘柄抽出条件のうち、１つの銘柄抽出条件を満足すると、該満足した１つの銘柄を表示銘柄情報テーブル２２に登録処理し、他の銘柄抽出条件は判断しなかったが、銘柄抽出条件テーブル２３の複数の銘柄抽出条件の全てを判断し、満足した銘柄抽出条件のそれぞれに応じて、表示銘柄情報テーブル２２に登録処理するようにしてもよい。この場合、例えば、Ａ電機が図４の銘柄抽出条件テーブル２３のＮｏ．１の新規上場銘柄と、Ｎｏ．２のストップ高／安の両方を満足した場合は、表示銘柄情報テーブル２２の３ページ１行と２ページ５行の両方に登録処理し、表示部３の画面の３ページ１行と２ページ５行の両方に、Ａ電機の株価を表示することになる。
【００４３】
また、既に表示銘柄情報テーブル２２に登録されている銘柄については、２重に登録しないものの、銘柄抽出条件テーブル２３の複数の銘柄抽出条件の全てを判断し、満足した銘柄抽出条件を、表示銘柄情報テーブル２２に登録されている銘柄と関連付けて記憶し、表示部３に表示する際に、満足した銘柄抽出条件を表示するようにしてもよい。このようにすると、表示部に表示された銘柄が、どの銘柄抽出条件を満足したものであるかを、容易に視認できる。
【００４４】
なお、本発明は、本発明に係る処理を実行する装置としてだけでなく、システム、方法として、或いは、このような方法や装置を実現するためのプログラムや当該プログラムを記録する記録媒体などとして把握することができる。
また、本発明は、ＣＰＵがメモリに格納された制御プログラムを実行することにより制御する構成としてもよく、また、ハードウエア回路として構成してもよい。
【００４５】
本明細書には、少なくとも以下の発明が含まれる。すなわち、第１の発明は、
株価情報を受信する受信部と、株価情報を表示する表示部と、操作者からの入力を受け付ける操作部と、株価情報を記憶する記憶部と、制御部とを備えた株価情報表示装置であって、
前記記憶部は、前記受信部で受信した株価情報を記憶する受信株価情報テーブルと、前記表示部に表示する銘柄を記憶する表示銘柄情報テーブルと、前記表示銘柄情報テーブルに登録する銘柄を抽出するための銘柄抽出条件を記憶する銘柄抽出条件テーブルとを備え、
前記制御部は、前記受信部で受信した株価情報を前記受信株価情報テーブルに記憶させる受信情報記憶処理部と、前記操作部から入力される銘柄抽出条件に基づき前記銘柄抽出条件テーブルを設定する銘柄抽出条件設定部と、前記受信部で受信した株価情報が前記銘柄抽出条件テーブルに記憶された銘柄抽出条件を満足するか否か判定し、前記銘柄抽出条件を満足した銘柄を前記表示銘柄情報テーブルに登録処理する登録処理部と、前記表示銘柄情報テーブルに記憶された銘柄に関する株価情報を前記表示部に表示させる表示処理部と、を備えることを特徴とする株価情報表示装置。
このようにすると、ユーザが表示銘柄を抽出するための銘柄抽出条件を予め設定しておくことにより、該銘柄抽出条件を満たす株価情報の銘柄を、株価情報を表示させる銘柄として自動的に登録することができる。
【００４６】
第２の発明は、第１の発明の株価情報表示装置であって、
前記銘柄抽出条件テーブルは、銘柄抽出条件に対応する銘柄登録位置が、前記操作部から設定可能であり、
前記登録処理部は、前記銘柄抽出条件テーブルに設定された銘柄登録位置に従って、銘柄抽出条件を満足した銘柄を前記表示銘柄情報テーブルに登録処理し、
前記表示処理部は、前記表示銘柄情報テーブルにおける銘柄登録位置と、前記表示部における銘柄表示位置とを対応させるように、前記表示部に銘柄表示を行うことを特徴とする株価情報表示装置。
このようにすると、銘柄抽出条件テーブルに設定された銘柄抽出条件に対応させて、該銘柄抽出条件を満足する銘柄の表示部における表示位置を、操作部から設定することができる。
【００４７】
第３の発明は、第１の発明又は第２の発明の株価情報表示装置であって、
前記登録処理部は、前記銘柄抽出条件を満足した銘柄と、該銘柄が満足した銘柄抽出条件とを関連付けて前記表示銘柄情報テーブルに記憶し、
前記表示処理部は、前記銘柄抽出条件を満足した銘柄を前記表示部に表示させる際に、前記満足した銘柄抽出条件を表示させることを特徴とする株価情報表示装置。
このようにすると、表示部に表示された銘柄が、どの銘柄抽出条件を満足したものであるかを、容易に視認できる。
【００４８】
第４の発明は、第２の発明又は第３の発明の株価情報表示装置であって、
前記登録処理部は、前記銘柄抽出条件を満足した銘柄が、既に前記表示銘柄情報テーブルに登録されている銘柄である場合は、前記表示銘柄情報テーブルへの登録処理を行わないことを特徴とする株価情報表示装置。
このようにすると、同一の銘柄を複数、表示部に表示することを防止でき、表示部の表示を簡素化できる。
【００４９】
第５の発明は、第２の発明又は第３の発明の株価情報表示装置であって、
前記登録処理部は、前記銘柄抽出条件を満足した銘柄が、既に前記表示銘柄情報テーブルに登録されている銘柄である場合も、前記表示銘柄情報テーブルへの登録処理を行うことを特徴とする株価情報表示装置。
このようにすると、同一の銘柄であっても銘柄抽出条件毎に表示部に表示することができ、着目する銘柄抽出条件を満足する複数の銘柄を、容易に視認できる。
【００５０】
第６の発明は、第１の発明ないし第５の発明の株価情報表示装置であって、
前記表示銘柄情報テーブルには、前記操作部から任意の銘柄の登録が可能であることを特徴とする株価情報表示装置。
このようにすると、表示銘柄情報テーブルに、ユーザが手動で任意の銘柄の登録ができ、かつ、銘柄抽出条件に基づく銘柄の自動登録ができるので、利便性が向上する。
【符号の説明】
【００５１】
１…受信部、２…操作部、３…表示部、１０…制御部、１１…受信情報記憶処理部、１２…銘柄抽出条件設定部、１３…登録処理部、１４…表示処理部、２０…記憶部、２１…受信株価情報テーブル、２２…表示銘柄情報テーブル、２３…銘柄抽出条件テーブル、２４…ニュース登場銘柄情報テーブル、２５…年初来高値／安値テーブル。
【図１】
0005777910.tif 000002
【図２】
0005777910.tif 000003
【図３】
0005777910.tif 000004
【図４】
0005777910.tif 000005
【図５】
0005777910.tif 000006
【図６】
0005777910.tif 000007
【図７】
0005777910.tif 000008